(57)【要約】      （修正有）【課題】農業作業において化学肥料、有機肥料、農薬が一度に一装置で散布を可能にすることが出来る散布機を提供する。【解決手段】農耕作業用に取り付けた散布が出来る散布装置に別途収容容器を上に乗せる方法又は異なった位置に収容容器を置き、その設置した収容容器の底から既存の散布構造の回転する下部位置にホースで供給する方法と別と位置に収容容器を置きホース等で供給する方法をして、散布機が回転することで異なる種類の散布が一度に可能に成る。【選択図】図３
2015228806.tif 000002
【特許請求の範囲】
【請求項１】
粒状収容可能な箱型で下部には散布手段があって前記粒状収容可能な箱型に別途収容容器箱型を載せ、載せた箱型底には筒が前記粒状収容容可能な箱型の底位置まで延びた手段が設けられ前記収容容器とは粒の供給手段が収容容器内において筒で分離されることが特徴とする異種散布装置。
【請求項２】
請求項1に記載の異種散布装置で別途収容容器の筒直径、大、小を交換し流量を調整可能な特徴とする異種散布装置。
【請求項３】
請求項1に記載の散布手段に異なった上位置からホースで散布粒を供給する方法を特徴とする異種散布装置。
【発明の詳細な説明】
【技術分野】
【０００１】
本発明は、農業用散布装置に関するものである。
【背景技術】
【０００２】
本発明は農耕用作業機に取り付けた肥料散布機に関するもので特に2種類の粒状肥料を散布可能なものに関する。
【０００３】
従来より、下記特許文献1に開示されているような農業用散布装置が提供されて
いる。しかし下記特許文献1に開示されている農業用散布装置は、肥料収容ホッパーに仕切り板がある構成で装置内の混合散布を目的としている。
【０００４】
本装置は異なる粒状の散布をする目的で装置内の混合散布は目的とはしないが散布することは一致し、しかし容器本体に分離壁を設けない方法で散布可能にした。
【０００５】
収容容器と散布構造が一体とした構造に別に収容容器を取り外し可能な手段にした。
【先行技術文献】
【特許文献】
【０００６】
【特許文献１】特開２００7−135515号公報
【発明の概要】
【発明が解決しようとする課題】
【０００７】
解決しようとする問題点は、収容容器を二分することは装置が複雑で管理が難しい
【課題を解決するための手段】
【０００８】
本発明は、本体収容容器に別途加工した容器を取り付け、取り付ける容器底には円型筒が既存の本体収容容器底位置まで伸ばした供給手段。
【発明の効果】
【０００９】
本発明の効果は2種類の粒状散布を同時に可能とすることで作業効率を良くし経費節約にもなり圃場の土壌改善目的も満たす。
【図面の簡単な説明】
【００１０】
【図１】本体肥料収容容器と右上位置に別途収容容器を取り付けた断面図。
【図２】本装置を上面から見た説明図である。
【図３】実施図断面図である。
【図４】取り換え筒図である。
【発明を実施するための形態】
【００１１】
次に実施例を図面に従い具体的に説明すると、第1図は収容容器の中央に減速されたモーター2軸にシャフト4を構成、先端にピン18で撹拌ヘラ5が取り付、肥料収容容器本体1は上の部が広く下部位置が縮んだ構造で軸4を芯に下部位置に円型の排出口6がある。
【００１２】
軸4には上下移動可能な流量調整器3があって、流量調整器3をモーター2側に上げる事で流量調整器3の内部に散布粒が多く入る構造。
【００１３】
バケット7は本体1にボルト11で固定し用途に応じて取り外し可能付とします。
【００１４】
バケット7の中央には筒8が撹拌ペラ5近くまで延びて、途中で筒18を交換することで流量の調整が可能である。
【００１５】
第2図は本体を上から見た図、円型な収容容器本体1にフレーム15がホヘルト3か所で固定され中央にモーター2があって円型の4分の一程度の大きさのバケット7が取り付けボルト11で固定されている。
【００１６】
バケット7の中央に円型の解放部を芯に止めナット14で取り付けた、袋裂け器13が付けてある。
【００１７】
軸4を芯に円型の排出口6、撹拌ペラ5左右に伸びて撹拌が出来る構造。
【００１８】
第3図は肥料収容容器本体1に異なった粒を補充した図、袋粒15Bをバケットに乗せることで袋解放器の先端が袋を裂け粒は落下し筒内に補充される。
【実施例１】
【００１９】
図3で説明、流量調整モーター2の回転は一定で調整レバー12の上下で操作する、レバーを上位置に上げる事で流量調整器の内側に粒か入る量が多くなる。
モーター2と連携された撹拌ベラ5の回転により排出口から落下する。
【００２０】
粒B17の流量調整は筒径の大きさで調整、取り換えピン10を引き抜き取替筒9と交換することで筒径が小さくなり供給量が少なくなる、撹拌ペラが回転することで筒8から供給される粒も自然と落下するので異種散布が出来る。
【産業上の利用可能性】
【００２１】
肥料の組み合わせが可能になり圃場の土壌改善が出来る又有機肥料と化学肥料及び農薬の散布も出来る。
【符号の説明】
【００２２】
１  本体
２  モーター
３  流量調整器
４  軸
５  撹拌ペラ
６  排出口
７    バケット
８  筒
９  取り換え筒
１０  止めピン
１１  取り付けボルトナット
１２  調整レバー
１３  袋裂け器
１４  止めナット
１５  袋
１６  粒A
１７  粒B
1 8    ピン
【図１】
2015228806.tif 000003
【図２】
2015228806.tif 000004
【図３】
2015228806.tif 000005
【図４】
2015228806.tif 000006
【手続補正書】
【提出日】平成26年9月23日(2014.9.23)
【手続補正１】
【補正対象書類名】特許請求の範囲
【補正対象項目名】全文
【補正方法】変更
【補正の内容】
【特許請求の範囲】
【請求項１】
箱型肥料収容容器底位置に排出口(6)を開口、前記排出下部にモーターから伝
動され回転し肥料排出をする撹拌ペラ(5)を備え、
前記箱型肥料収容容器に、バケットを載せ、載せたバケットの底位置に、円型筒(8)，(9)が前記箱型肥料収容容器の底位置まで延びることが特徴とする異種散布装置。
【請求項２】
請求項1に記載の異種散布装置において、バケット底位置の円型筒(8)に取り換え筒(9)備えることで流量を調整することを特徴とする異種散布装置。
【手続補正２】
【補正対象書類名】明細書
【補正対象項目名】全文
【補正方法】変更
【補正の内容】
【発明の詳細な説明】
【技術分野】
【０００１】
本発明は、農業用散布装置に関するものである。
【背景技術】
【０００２】
本発明は農耕用作業機に取り付けた肥料散布機に関するもので特に2種類の粒状肥料を散布可能なものに関する。
【０００３】
従来ょり、下記特許文献1に開示されているような農業用散布装置が提供されて
いる。しかし下記特許文献1に開示されている農業用散布装置は、肥料収容ホッパーに仕切り板がある構成で装置内の混合散布を目的としている。
【０００４】
本装置は異なる粒状の散布をする目的で装置内の混合散布は目的とはしないが散布することは一致し、しかし容器本体に分離壁を設けない方法で散布可能にした。
【０００５】
収容容器と散布構造が一体とした構造に別に収容容器を取り外し可能な手段にした。
【先行技術文献】
【特許文献】
【０００６】
【特許文献１】特開２００7−135515号公報
【発明の概要】
【発明が解決しようとする課題】
【０００７】
解決しようとする問題点は、収容容器を二分することは装置が複雑で管理が難しい
【課題を解決するための手段】
【０００８】
本発明は、本体収容容器に別途加工した容器を取り付け、取り付ける容器底には円型筒が既存の本体収容容器底位置まで伸ばした供給手段。
【発明の効果】
【０００９】
本発明の効果は2種類の粒状散布を同時に可能とすることで作業効率を良くし経費節約にもなり圃場の土壌改善目的も満たす。
【図面の簡単な説明】
【００１０】
【図１】本体肥料収容容器と右上位置に別途収容容器を取り付けた断面図。
【図２】本装置を上面から見た説明図である。
【図３】実施図断面図である。
【図４】取り換え筒図である。
【発明を実施するための形態】
【００１１】
次に実施例を図面に従い具体的に説明すると、第1図は収容容器の中央に減速されたモーター2軸にシャフト4を構成、先端にピン18で撹拌ペラ5が取り付け、肥料収容容器本体1は上の部が広く下部位置が縮んだ構造で軸4を基準として下部位置に円型の排出口6がある。
【００１２】
軸4には上下移動可能な流量調整器3があって、流量調整器3をモーター2側に上げる事で流量調整器3の内部に散布粒が多く入る構造。
【００１３】
バケット7は本体1にボルト11で固定し用途に応じて取り外し可能とします。
【００１４】
バケット7の中央には筒8が撹拌ペラ5近くまで延びて、途中で筒9を交換することで流量の調整が可能である。
【００１５】
第２図は本体を上から見た図、円型な収容容器本体1にフレーム15がボルト３か所で固定され中央にモーター2があって円型の４分の一程度の大きさのバケット7が取り付けボルト11で固定されている。
【００１６】
バケット7の中央に円型の解放部を基準に止めナット14で取り付けた、袋裂け器13が付けてある。
【００１７】
軸4を基準に円型の排出口6、撹拌ペラ5が回転方向に沿う幅が左右に伸びて撹拌が出来る構造。
【００１８】
第3図は肥料収容容器本体1に異なった粒を補充した図、袋粒15をバケットに乗せることで袋解放器の先端が袋を裂け粒は落下し筒8に補充される。
【実施例１】
【００１９】
図3で説明、流量調整方法はモーター2の回転は一定で調整レバー12の上下で操作する、レバー12を上位置に上げる事で流量調整器の内側に粒A16の入る量が多くなる。
モーター２と連携された撹拌ペラ5の回転により排出口から落下する。
【００２０】
粒B17の流量調整は筒8の直径の大きさで調整、取り換えピン10を引き抜き取り換え筒9と交換することで筒直径が小さくなり供給量が少なくなる、撹拌ベラ5が回転することで筒8から供給される粒B17も自然と落下するので異種散布が出来る。
【産業上の利用可能性】
【００２１】
肥料の組み合わせが可能になり圃場の土壌改善が出来る又有機肥料と化学肥料及び農薬の散布も出来る。
【符号の説明】
【００２２】
１ 本体
２ モーター
３ 流量調整器
４ 軸
５ 撹拌ペラ
６ 排出口
７ バケット
８ 筒
９ 取り換え筒
１０ 止めピン
１１ 取り付けボルトナット
１２ 調整レバー
１３ 袋裂け器
１４ 止めナット
１５ 袋粒
１６ 粒A
１７ 粒B
1 8 ピン
【手続補正３】
【補正対象書類名】図面
【補正対象項目名】全図
【補正方法】変更
【補正の内容】
【図１】
2015228806.tif 000007
【図２】
2015228806.tif 000008
【図３】
2015228806.tif 000009
【図４】
2015228806.tif 000010
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
箱型の肥料収容容器(1)の底位置に排出口(6)を開口し、前記肥料収容容器の下部にモーターから伝動され回転し肥料を排出する撹拌ペラ(5)を備え、前記撹拌ペラ(5)は垂直軸(4)に設けられ
前記肥料収容容器(1)に、バケット(7)を載せ、載せたバケットの底位置に、前記肥料収容容器(1)の底位置まで延びる円型筒(8)が備えられると共に、前記バケット(7)は前記肥料収容容器(1)に対して取り外しが可能であることを特徴とする異種散布装置。
【請求項２】
請求項1に記載の異種散布装置において、前記円型筒(8)が取り換え筒(9)を備えることで流量を調整することを特徴とする異種散布装。